(57)【要約】      （修正有）【課題】従来の折り刃式のカッターナイフは本体後方にある折り刃用のクリップを使用してカッターナイフの刃先を折ったり、ペンチなどで刃先を折っていたため、刃を折った都度捨てる手間がかかった。時には折った刃先が、どこに飛んだのか分からない事もあり、大変危険であった。  このように、刃先を折る時の危険性、折る事の重大性、折った刃先の処理に関して全く考慮されていなかった。【解決手段】（イ）上下にスライド溝Ｂを設けたスライド部２を本体１に設ける。（ロ）本体１の空室Ａと、スライド溝Ｂ側との間の中間壁１４の一端に通過口Ｃを設け、通過口Ｃに蓋バネ４を設ける。（ハ）カッターナイフ９を設けた鞘１２に、爪止め部Ｍ、Ｍアを設け、本体１のスライド溝Ｂに設ける。（ニ）本体１に設けたジョイント部６は、通過口Ｃ寄りに設け、押え部５を設けたレバー３の支点部Ｇを設ける。（ホ）本体１の後部の下側に爪Ｎを設けたトリガー７を設ける。【選択図】図１
2004351189.tif 000002
【特許請求の範囲】
【請求項１】
（イ）  上下にスライド溝（Ｂ）を設けたスライド部（２）を本体（１）に設ける。
（ロ）  本体（１）の空室（Ａ）と、スライド溝（Ｂ）側との間の中間壁（１４）の一端に通過口（Ｃ）を設け、通過口（Ｃ）に蓋バネ（４）を設ける。
（ハ）  カッターナイフ（９）を設けた鞘（１２）に、爪止め部（Ｍ）、（Ｍア）を設け、本体（１）のスライド溝（Ｂ）に設ける。
（ニ）  本体（１）に設けたジョイント部（６）は、通過口（Ｃ）寄りに設け、押え部（５）を設けたレバー（３）の支点部（Ｇ）を設ける。
（ホ）  本体（１）の後部の下側に爪（Ｎ）を設けたトリガー（７）を設ける。
以上の如く構成した簡便プッシユ式折り刃カッターナイフ
【発明の詳細な説明】
【０００１】
［発明の属する技術分野］
この発明はカッターナイフ（９）を設けた鞘（１２）が、本体（１）のスライド溝（Ｂ）に設けられ、通過口（Ｃ）を設けた中間壁（１４）により、空室（Ａ）が形成され、本体（１）の通過口（Ｃ）寄りのジョイント部（６）に押え部（５）を設けたレバー（３）の支点部（Ｇ）を設けたを特徴とする簡便プッシユ式折り刃カッターナイフである。
【０００２】
［従来の技術］
従来、折り刃式のカッターナイフの刃先を折る時は、カッターナイフ本体後方に取り付けられている折り刃用のクリップを取り外してカッターナイフの刃先を折っていた。  また、ペンチを使用してカッターナイフの刃先を折っていた。
【０００３】
［発明が解決しようとする課題］
従来、折り刃式のカッターナイフの刃先が摩耗したら、刃先を折って刃先を新しくして使用していた。  また、従来のものは、切る事のみ重点を置き、刃先の折る事には余り工夫が為されていなかった。  また、刃先を折る時にはカッターナイフの後方に取り付けられた折り刃用のクリップを使用してカッターナイフの刃先を折ったり、ペンチで刃先を折っていた、いずれにしても折った刃先の処理は、刃先を折った都度捨てる手間がかかった。  時には、折った刃先が、どこに飛んだのか分らない事もあり、そのまま放置される事もあって危険であった。
【０００４】
［課題を解決するための手段］
（イ）  上下にスライド溝（Ｂ）を設けたスライド部（２）を本体（１）に設ける。
（ロ）  本体（１）の空室（Ａ）と、スライド溝（Ｂ）側との間の中間壁（１４）の一端に通過口（Ｃ）を設け、通過口（Ｃ）に蓋バネ（４）を設ける。
（ハ）  カッターナイフ（９）を設けた鞘（１２）に、爪止め部（Ｍ）、（Ｍア）を設け、本体（１）のスライド溝（Ｂ）に設ける。
（ニ）  本体（１）に設けたジョイント部（６）は、通過口（Ｃ）寄りに設け、押え部（５）を設けたレバー（３）の支点部（Ｇ）を設ける。
（ホ）  本体（１）の後部の下側に爪（Ｎ）を設けたトリガー（７）を設ける。
以上の如く構成した簡便プッシユ式折り刃カッターナイフ
【０００５】
［発明の実施の形態］
この発明はカッターナイフ（９）を設けた鞘（１２）が、本体（１）のスライド溝（Ｂ）に設けられ、通過口（Ｃ）を設けた中間壁（１４）により、空室（Ａ）が形成され、本体（１）の通過口（Ｃ）寄りのジョイント部（６）に押え部（５》を設けたレバー（３）の支点部（Ｇ）を設けたを特徴とする簡便プッシユ式折り刃カッターナイフである。
本発明は、カッターナイフ（９）の刃先（１０）が摩耗したら、図４に示すようにダイヤル（Ｐ）を後方イにスライドさせ、図７のように刃先（１０）を鞘（１２）に納め、トリガー（７）を指で押して鞘（１２）の爪止め部（Ｍ）にはまり込んだトリガー（７）の爪（Ｎ）を外し、ダイヤル（Ｐ）を後方イ方向にスライドさせると、図８に示すように、スプリング（１３）の伸張力により、トリガー（７）がピン（８）を支点としてトリガー（７）の爪（Ｎ）が自動的に鞘（１２）の爪止め部（Ｍア）にはまり込み、鞘（１２）がロックされる。  その時、鞘（１２）の先（１２ａ）は通過口（Ｃ）に位置する。  そしてレバー（３）をウ方向に反転させると、図１０のようにレバー（３）の内側に設けた押え部（５）と、カギ状に突出した蓋バネ押え部（Ｄ）が通過口（Ｃ）に向く。  そして、ダイヤル（Ｐ）を前方ア方向にスライドさせると、図１１、図１２のように刃先（１０）が蓋バネ押え部（Ｄ）で止る、そして、図１３に示すように、レバー（３）を親指で押すと、図１１、図１２に示すように、押え部（５）が刃先（１０）に圧力を加えることにより、図１４、図１５に示すように刃先（１０）が折られて刃先（１０ａ）のように折れる、と同時に、蓋バネ押え部（Ｄ）が通過口（Ｃ）を塞いでいる蓋バネ（４）を押して、通過口（Ｃ）を開き、折られた刃先（１０ａ）が空室（Ａ）にはまり込み、収容することが出来る。
【０００６】
［実施例］
（イ）  上下にスライド溝（Ｂ）を設けたスライド部（２）を本体（１）に設ける。
（ロ）  本体（１）の空室（Ａ）と、スライド溝（Ｂ）側との間の中間壁（１４）の一端を開口して通過口（Ｃ）を設け、図２に示すように、蓋バネ（４）の穴（Ｅ）を中間壁（１４）の少し突出した蓋バネ取り付部（Ｆ）にさし込み設けると図３のように蓋バネ（４）が通過口（Ｃ）を塞いだ状態となる。
（ハ）  カッターナイフ（９）を設けた鞘（１２）に、切り込み状の爪止め部（Ｍ）、（Ｍア）を設け、本体（１）のスライド溝（Ｂ）に設ける。
（ニ）  本体（１）に設けたジョイント部（６）のレバー支点穴（Ｉ）に、蓋バネ押え部（Ｄ）を設けた押え部（Ｄ）を設けたレバー（３）の支点部（Ｇ）の支点突起（Ｈ）をさし込み設ける。
刃先（１０）を折る時以外、カッターナイフとしての使用時、及び通常時は図４、図６に示すように、レバー（３）はエ方向に折り返しておく。
（ホ）  本体（１）の後部の下側に、穴（Ｏ）を設けた点線で示す空洞部（Ｑ）を設け、その空洞部（Ｑ）に爪（Ｎ）を設けたトリガー（７）側のピン穴（Ｏ）と空洞部（Ｑ）のピン穴（Ｏ）にピン（８）をさし込んでトリガー（７）を設ける。
トリガー（７）側の凹部（Ｋ）と空洞部（Ｑ）の凹部（Ｋ）にスプリング（１３）を設ける。
（ヘ）  本体（１）の空室部（Ａ）の後部の廃棄口（Ｊ）に廃棄蓋（１１）のさし込み部（Ｌ）をさし込んでおく。
（ホ）  トリガー（７）の爪（Ｎ）は、鞘（１２）のが前方アにスライドした時は爪止め部（Ｍ）にはまり込み、後方イにスライドした時は爪止め部（Ｍア）にはまり込む。
（ヘ）  空室部（Ａ）側を縦に断面した側から見た図５の如く、鞘（１２）が前方アに出た時は本体（１）から突出した状態となり、鞘（１２）が後方イにスライドした時は、鞘（１２）の先（１２ａ）が通過口（Ｃ）の側面に位置する。
本発明は、図６に示すように持ち、鞘（１２）の爪止め部（Ｍ）にトリガー（７）の爪（Ｎ）がはまり込んだ状態で、鞘（１２）が前方アに出た状態で刃先（１０）を出して使用出来る。  その状態を示すのが図４、図９である。
本発明は、カッターナイフ（９）の刃先（１０）が摩耗したら、図４に示すようにダイヤル（Ｐ）を親指で後方イにスライドさせ、図７のように刃先（１０）を鞘（１２）に納め、図６のような持ち方でトリガー（７）を小指で押え、鞘（１２）の爪止め部（Ｍ）に、はまり込んでいるトリガー（７）の爪（Ｎ）を図７のように外し、図６のような持ち方で親指でダイヤル（Ｐ）を後方イ方向にスライドさせると、図８に示すようにスプリング（１３）の伸張力により、トリガー（７）がピン（８）を支点として爪（Ｎ）が自動的に鞘（１２）の爪止め部（Ｍア）にはまり込み鞘（１２）がロックされる。  その時、図５、図８に示すように鞘（１２）の先（１２ａ）は通過口（Ｃ）に位置する。
そして、レバー（３）をウ方向に反転させると、図１０のようにレバー（３）の内側に設けた押え部（５）と、カギ状に突出した蓋バネ押え部（Ｄ）が通過口（Ｃ）に向き、そして、ダイヤル（Ｐ）を前方ア方向にスライドさせると、図１１、図１２のように刃先（１０）がカギ状に突出して刃先止めの役目をする蓋バネ押え部（Ｄ）で止る、そして、図１３に示すように、レバー（３）を親指で（ウ）方向に押すと、図１１、図１２に示すように、押え部（５）がレバー（３）の支点突起（Ｈ）を支点として、反転ウ方向すなわち、刃先（１０）の方向に圧力を加えることにより、図１４、図１５に示すように、押え部（５）の加圧間隔（Ｒ）により、刃先（１０）が折られ、刃先（１０ａ）のように折れる、と同時に、蓋バネ押え部（Ｄ）が通過口（Ｃ）を塞いでいる蓋バネ（４）を押して、通過口（Ｃ）を開き、折られた刃先（１０ａ）が空室（Ａ）にはまり込むことで収容することが出来る。  すなわち、折られた刃先（１０ａ）が収容されて収納が出来る。  そして、図１３に示すようにレバー（３）を押していた親指の力を抜くと、図１０のように、蓋バネ（４）の復元力により、通過口（Ｃ）を塞いだ状態に戻る。  そして、折り返し方向エにレバー（３）を返し、図８の状態に返す。  そして、図１６のように、トリガー（７）を小指で押え、鞘（１２）の爪止め部（Ｍア）に、はまり込んでいるトリガー（７）の爪（Ｎ）を外し、親指でダイヤル（Ｐ）を前方ア方向にスライドさせると、図６に示すように、スプリング（１３）の伸張力により、トリガー（７）がピン（８）を支点として爪（Ｎ）が自動的に鞘（１２）の爪止め部（Ｍ）にはまり込み、鞘（１２）が本体（１）から前方に突出した状態でロックされる。  そして親指でダイヤル（Ｐ）を前方ア方向にスライドさせて、刃先（１０）を出して使用することが出来る。
また、図１７に示すように、空室（Ａ）に収納された折られた刃先（１０ａ）を廃棄する時は、カッターナイフの本体（１）の廃棄口（Ｊ）にさし込まれた廃棄蓋（１１）を外して刃先（１０ａ）をまとめて廃棄処理することが出来る。
【０００７】
［発明の効果］
本発明は、クリップやペンチを使わず、指でレバーを押すだけで至極簡単にカッターナイフの刃先を折ると同時に、折られた使用済みの刃先をまとめて収容し、一括して廃棄が出来るため、大変安全である。  また、実施例で示すように、親指と小指、すなわち片手の操作により、刃先を折って使用することが出来る。
【図面の簡単な説明】
【図１】本発明を縦に断面分離した分解斜視図
【図２】本発明の空室（Ａ）側を縦に切り取り、構造を示す斜視図
【図３】本発明の空室（Ａ）側を縦に切り取り、構造を示す斜視図
【図４】本発明の実施例を示す斜視図
【図５】本発明の空室（Ａ）側から見た実施例を示す斜視図
【図６】本発明の実施例を示す斜視図
【図７】本発明のレール（２）の一部をとり除いて実施例を示す側面図
【図８】本発明のレール（２）の一部をとり除いて実施例を示す側面図
【図９】本発明の実施例を上から見た一部断面図
【図１０】本発明の実施例を上から見た一部断面図
【図１１】本発明の空室（Ａ）側から見た実施例を示す部分斜視図
【図１２】本発明の実施例を上から見た一部断面図
【図１３】本発明の実施例を示す側面図
【図１４】本発明の空室（Ａ）側から見た実施例を示す部分斜視図
【図１５】本発明の実施例を上から見た一部断面図
【図１６】本発明の実施例を示す側面図
【図１７】本発明の実施例を示す側面図
【符号の説明】
１  本体        ２  スライド部        ３  レバー        ４  蓋バネ
５  押え部        ６  ジョイント部        ７  トリガー        ８  ピン
９  カッターナイフ        １０  刃先        １０ａ  折れた刃先
１１  廃棄蓋        １２  鞘        １２ａ  鞘の先
１３  スプリング        １４  中間壁
Ａ  空室        Ｂ  スライド溝        Ｃ  通過口        Ｄ  蓋バネ押え部
Ｅ  穴        Ｆ  蓋バネ取り付け部        Ｇ  支点部        Ｈ  支点突起
Ｉ  レバー支点穴        Ｊ  廃棄口        Ｋ  凹部        Ｌ  さし込み部
Ｍ、Ｍア  爪止め部        Ｎ  爪        Ｏ  ピン穴        Ｐ  ダイヤル
Ｑ  空洞部        Ｒ  加圧間隔
ア  前方        イ  後方        ウ  レバー（３）の反転方向
エ  レバー（３）の折り返し方向
【図１】
2004351189.tif 000003
【図２】
2004351189.tif 000004
【図３】
2004351189.tif 000005
【図４】
2004351189.tif 000006
【図５】
2004351189.tif 000007
【図６】
2004351189.tif 000008
【図７】
2004351189.tif 000009
【図８】
2004351189.tif 000010
【図９】
2004351189.tif 000011
【図１０】
2004351189.tif 000012
【図１１】
2004351189.tif 000013
【図１２】
2004351189.tif 000014
【図１３】
2004351189.tif 000015
【図１４】
2004351189.tif 000016
【図１５】
2004351189.tif 000017
【図１６】
2004351189.tif 000018
【図１７】
2004351189.tif 000019